(57)【要約】  【課題】  防虫剤等を室内に拡散させる薬剤拡散装置であり、邪魔にならず、且つ転倒の危険性が極めて低い構造の開発を課題とする。  【解決手段】  薬剤拡散装置１は、外形形状が四面体であり、２面の直立壁３，５と、正面傾斜壁６及び底面壁８によって構成されている。２枚の直立壁３，５はいずれも垂直に立設され、さらに２枚の直立壁３，５同士は、互いに垂直である。薬剤拡散装置１は、部屋のコーナに設置される。薬剤拡散装置１が露出する面は、正面傾斜壁６だけであり、物が正面傾斜壁６に衝突すると、正面傾斜壁６の傾斜面に対して垂直方向の分力が生じ、この分力は、部屋のコーナ側を向くから薬剤拡散装置１を部屋のコーナに押しつけることとなり、薬剤拡散装置１の姿勢を安定させる。排出用開口として機能するスリット１９は、吸入用開口として機能するスリットよりも前面側に突出しており、排出された空気が吸い込み側に回り込み難い。【選択図】  図１
2006314267.tif 000002
【特許請求の範囲】
【請求項１】
ケース部材を備え、当該ケース部材内に送風手段と薬剤保持部材が内蔵され、外部の空気をケース部材内に吸入し、薬剤を含有する空気をケース部材から排出する薬剤拡散装置において、薬剤拡散装置は部屋のコーナに概ね合致可能な２面の立壁を有し、前記２面の立壁の間に正面壁が設けられ、正面壁には傾斜面があり、前記正面壁には一又は複数の開口が設けられ、外部の空気の吸入又は薬剤を含有する空気の排出の少なくともいずれかが前記開口を介して行われることを特徴とする薬剤拡散装置。
【請求項２】
ケース部材を備え、当該ケース部材内に送風手段と薬剤保持部材が内蔵され、外部の空気をケース部材内に吸入し、薬剤を含有する空気をケース部材から排出する薬剤拡散装置において、前記ケース部材は２面の直立壁を有し、前記２面の直立壁は互いに垂直であり、前記２面の直立壁の間に正面壁が設けられ、正面壁には傾斜面があり、前記正面壁には一又は複数の開口が設けられ、外部の空気の吸入又は薬剤を含有する空気の排出の少なくともいずれかが前記開口を介して行われることを特徴とする薬剤拡散装置。
【請求項３】
開口は傾斜面に複数設けられ、外部の空気の吸入及び薬剤を含有する空気の排出の双方が前記傾斜面に設けられた開口を介して行われることを特徴とする請求項１又は２に記載の薬剤拡散装置。
【請求項４】
前記開口には、専ら外部の空気を吸入する吸入用開口と、専ら薬剤を含有する空気を排出する排出用開口があり、排出用開口は吸入用開口に比べて突出した位置にあることを特徴とする請求項１乃至３のいずれかに記載の薬剤拡散装置。
【請求項５】
正面壁はその全体が傾斜面であることを特徴とする請求項１乃至４のいずれかに記載の薬剤拡散装置。
【請求項６】
正面壁は全高の７０％以上が傾斜面であることを特徴とする請求項１乃至５のいずれかに記載の薬剤拡散装置。
【請求項７】
正面壁は平面であることを特徴とする請求項１乃至６のいずれかに記載の薬剤拡散装置。
【請求項８】
正面壁は正面側に膨出した曲面であることを特徴とする請求項１乃至６のいずれかに記載の薬剤拡散装置。
【請求項９】
正面壁の傾斜面は２面の直立壁の双方と接するものであることを特徴とする請求項１乃至８のいずれかに記載の薬剤拡散装置。
【請求項１０】
ケース部材を備え、当該ケース部材内に送風手段と薬剤保持部材が内蔵され、外部の空気をケース部材内に吸入し、薬剤を含有する空気をケース部材から排出する薬剤拡散装置において、前記ケース部材は２面の直立壁を有し、前記２面の直立壁は互いに垂直であり、前記２面の直立壁は傾斜辺を有し、各直立壁の傾斜辺同士を繋ぐ正面壁が設けられ、正面壁には傾斜面があり、前記正面壁の傾斜面には専ら外部の空気を吸入する吸入用開口と、専ら薬剤を含有する空気を排出する排出用開口が設けられ、排出用開口は吸入用開口に比べて下側の位置にあることを特徴とする薬剤拡散装置。
【発明の詳細な説明】
【技術分野】
【０００１】
本発明は薬剤拡散装置に関するものである。本発明の薬剤拡散装置は室内に置かれるものであり、防虫剤等を室内に拡散させる用途に適するものである。
【背景技術】
【０００２】
防虫剤を室内に拡散させる薬剤拡散装置が知られている。初期型の薬剤拡散装置は、例えば特許文献１の様にヒータを備えたものであり、液状の薬剤や、マットに含浸させた薬剤を加熱して蒸散させるものであった。
これに対して、近年、常温で揮発させて所定の防虫効果が得られる薬剤が開発され、当該薬剤に対しては、加熱することなく薬剤を拡散させる薬剤拡散装置が使用される。この種の薬剤拡散装置は、例えば特許文献２，３の様に内部に送風機を備え、薬剤保持部材に通風して薬剤を拡散させるものである。
【特許文献１】特開平５−２４４８５３号公報
【特許文献２】特開２００２−２０９５００号公報
【特許文献３】登録実用新案第３０７１７６０号公報
【０００３】
特許文献１に開示された初期型の薬剤拡散装置は、外形形状が四角柱状である。また特許文献２，３に開示された常温揮散性の薬剤を使用する薬剤拡散装置は、箱型である。
【発明の開示】
【発明が解決しようとする課題】
【０００４】
薬剤拡散装置は、室内の床面等に置いて使用するが、外形形状が四角柱状や箱型であるから転倒させてしまうおそれがあった。
薬剤拡散装置が転倒すると、吸気口や排気口が床面向きとなり、十分に吸気や排気を行うことができなくなってしまう。
【０００５】
これに対して薬剤拡散装置の重量を大きくしたり、底面積を広く設計すると転倒の危険性は減少するが、室内に置いたときに邪魔になるという問題がある。重量を重くすると、住人がけつまずいて痛い思いをすることがある。さらに住人が誤って薬剤拡散装置を蹴飛ばしてしまう場合もあり、転倒する危険性を完全に排除できない。
【０００６】
そこで本発明は、従来技術の上記した問題点に注目し、邪魔にならず、且つ転倒の危険性が極めて低い薬剤拡散装置の開発を課題とするものである。
【課題を解決するための手段】
【０００７】
そして上記した課題を解決するための請求項１に記載の発明は、ケース部材を備え、当該ケース部材内に送風手段と薬剤保持部材が内蔵され、外部の空気をケース部材内に吸入し、薬剤を含有する空気をケース部材から排出する薬剤拡散装置において、薬剤拡散装置は部屋のコーナに概ね合致可能な２面の立壁を有し、前記２面の立壁の間に正面壁が設けられ、正面壁には傾斜面があり、前記正面壁には一又は複数の開口が設けられ、外部の空気の吸入又は薬剤を含有する空気の排出の少なくともいずれかが前記開口を介して行われることを特徴とする薬剤拡散装置である。
【０００８】
本発明の薬剤拡散装置は、部屋のコーナに置くことを前提としたものである。即ち本発明の薬剤拡散装置は、床と二面の壁によって囲まれた三角の角の位置に設置されることを前提としている。
本発明の薬剤拡散装置のケース部材は、部屋のコーナに概ね合致可能な２面の立壁を有する。
また本発明の薬剤拡散装置のケース部材は、二方向の立壁が部屋のコーナの二面の壁に沿っているから、当該面に使用者がけつまずくことは無い。
さらに本発明の薬剤拡散装置のケース部材は、正面壁に傾斜面があるから、正面壁に物が当たったり使用者が踏みつけたり蹴飛ばしても転倒しない。即ち本発明の薬剤拡散装置では、ケース部材の正面壁には傾斜面があるから、外部から力を受けると傾斜面に対して垂直方向の分力が生じる。この分力は、部屋のコーナ側（床と二面の壁によって囲まれた三角の角）を向くから薬剤拡散装置を部屋のコーナに押しつけることとなり、薬剤拡散装置の姿勢を安定させる。そのため例え使用者が本発明の薬剤拡散装置を蹴飛ばす様なことがあっても薬剤拡散装置は転倒しない。
【０００９】
請求項２に記載の発明は、ケース部材を備え、当該ケース部材内に送風手段と薬剤保持部材が内蔵され、外部の空気をケース部材内に吸入し、薬剤を含有する空気をケース部材から排出する薬剤拡散装置において、前記ケース部材は２面の直立壁を有し、前記２面の直立壁は互いに垂直であり、前記２面の直立壁の間に正面壁が設けられ、正面壁には傾斜面があり、前記正面壁には一又は複数の開口が設けられ、外部の空気の吸入又は薬剤を含有する空気の排出の少なくともいずれかが前記開口を介して行われることを特徴とする薬剤拡散装置である。
【００１０】
本発明の薬剤拡散装置についても先の発明と同様に、部屋のコーナに置くことを前提としたものである。
本発明の薬剤拡散装置のケース部材は、２面の直立壁を有し、前記２面の直立壁は互いに垂直である。従ってケース部材の２面の直立壁は部屋のコーナの二面の壁に沿い、本発明の薬剤拡散装置は部屋のコーナに納まる。
また本発明の薬剤拡散装置のケース部材は、二方向の直立壁が部屋のコーナの二面の壁に沿っているから、当該面に使用者がけつまずくことは無い。
さらに本発明の薬剤拡散装置のケース部材は、正面壁に傾斜面があるから、正面壁に物が当たったり使用者が踏みつけたり蹴飛ばしても転倒しない。即ち本発明の薬剤拡散装置では、ケース部材の正面壁には傾斜面があるから、外部から力を受けると傾斜面に対して垂直方向の分力が生じる。この分力は、部屋のコーナ側（床と二面の壁によって囲まれた三角の角）を向くから薬剤拡散装置を部屋のコーナに押しつけることとなり、薬剤拡散装置の姿勢を安定させる。そのため例え使用者が本発明の薬剤拡散装置を蹴飛ばす様なことがあっても薬剤拡散装置は転倒しない。
【００１１】
また請求項３に記載の発明は、開口は傾斜面に複数設けられ、外部の空気の吸入及び薬剤を含有する空気の排出の双方が前記傾斜面に設けられた開口を介して行われることを特徴とする請求項１又は２に記載の薬剤拡散装置である。
【００１２】
本発明の薬剤拡散装置では、傾斜面に開口が設けられているから、開口面積を大きく設計することができる。そのため外気の吸入や空気の排出に十分な大きさの開口面積を確保することができる。
【００１３】
また請求項４に記載の発明は、前記開口には、専ら外部の空気を吸入する吸入用開口と、専ら薬剤を含有する空気を排出する排出用開口があり、排出用開口は吸入用開口に比べて突出した位置にあることを特徴とする請求項１乃至３のいずれかに記載の薬剤拡散装置である。
【００１４】
本発明の薬剤拡散装置は、排出された空気の再吸入を防止する作用がある。即ち薬剤拡散装置は、外部から空気を導入してケース部材内で薬剤と接触させ、薬剤を昇華させて薬剤を含有する空気を外部に排出させるものである。従ってケース部材内において薬剤と接する空気は、薬剤の含有量が少ない方が望ましい。そこで本発明の薬剤拡散装置は、排出用開口を吸入用開口に比べて突出した位置に設け、排出された空気が排出直後に再吸入されることを防いだ。
【００１５】
請求項５に記載の発明は、正面壁はその全体が傾斜面であることを特徴とする請求項１乃至４のいずれかに記載の薬剤拡散装置である。
【００１６】
また請求項６に記載の発明は、正面壁は全高の７０％以上が傾斜面であることを特徴とする請求項１乃至５のいずれかに記載の薬剤拡散装置である。
【００１７】
請求項５，６に記載の薬剤拡散装置は、正面壁における傾斜面の占める割合が大きい。そのため外力を受けた時にコーナ側に向かう分力が大きく、より転倒しにくい。
【００１８】
また正面壁は平面であっても、正面側に膨出した曲面であってもよい（請求項７，８）。
【００１９】
請求項９に記載の発明は、正面壁の傾斜面は２面の直立壁の双方と接するものであることを特徴とする請求項１乃至８のいずれかに記載の薬剤拡散装置である。
【００２０】
本発明の薬剤拡散装置は、傾斜面が２面の直立壁の双方と接するので、傾斜壁と直立壁との間に他の直立壁が無い。そのため使用者の邪魔になりにくい。
【００２１】
請求項１０に記載の発明は、ケース部材を備え、当該ケース部材内に送風手段と薬剤保持部材が内蔵され、外部の空気をケース部材内に吸入し、薬剤を含有する空気をケース部材から排出する薬剤拡散装置において、前記ケース部材は２面の直立壁を有し、前記２面の直立壁は互いに垂直であり、前記２面の直立壁は傾斜辺を有し、各直立壁の傾斜辺同士を繋ぐ正面壁が設けられ、正面壁には傾斜面があり、前記正面壁の傾斜面には専ら外部の空気を吸入する吸入用開口と、専ら薬剤を含有する空気を排出する排出用開口が設けられ、排出用開口は吸入用開口に比べて下側の位置にあることを特徴とする薬剤拡散装置である。
【００２２】
本発明の薬剤拡散装置は、前述した各請求項に記載の発明と共通の構成を備えるものであり、転倒しにくい。また吸入用開口と、排出用開口がいずれも正面壁の傾斜面に設けられている。そして排出用開口は吸入用開口に比べて下側の位置にあるから、排出用開口は必然的に吸入用開口よりも突出した位置となり、排出された空気の再吸入を防止する作用がある。
【発明の効果】
【００２３】
本発明の薬剤拡散装置は、転倒しにくく、使用者に安心感を与えることができる効果が有る。また本発明の薬剤拡散装置は、室内に置いても邪魔にならない。
【発明を実施するための最良の形態】
【００２４】
以下さらに本発明の実施形態について説明する。
図１は、本発明の第一実施形態の薬剤拡散装置を部屋のコーナに設置した状態を示す斜視図である。図２は、図１の薬剤拡散装置の前蓋を外した状態の斜視図である。図３は、図１の薬剤拡散装置の正面図、左右側面図、平面図及び底面図である。
本実施形態の薬剤拡散装置１は、外形形状が四面体である。即ち薬剤拡散装置１は、ケース部材２を持つ。そしてケース部材２は、図１，３の様に２面の直立壁（側壁）３，５と、正面傾斜壁（正面壁）６及び底面壁８によって構成される四面体である。
【００２５】
前記した２枚の直立壁３，５は、図の様に同一形状の直角三角形である。また底面壁８は直角二等辺三角形である。正面傾斜壁６は二等辺三角形である。
【００２６】
正面傾斜壁６には、図の様に複数のスリット１０〜２０が設けられている。各スリットは、いずれも正面傾斜壁６の底辺２１に対して平行であり、その長さは底辺２１からの高さに反比例している。また各スリット１０〜２０は、いずれもわずかに一方側に偏った位置に設けられている。
【００２７】
ケース部材２は、前記した様に２枚の直立壁（側壁）３，５と、正面傾斜壁６及び底面壁８によって構成されるが、これを立体的に観察したとき、２枚の直立壁３，５はいずれも垂直に立設され、さらに２枚の直立壁３，５同士は、互いに垂直である。即ちケース部材２の直立壁３，５は直角三角形であり、斜辺３０と底辺３１と高さ方向辺３２によって構成され、２枚の直立壁３，５の高さ方向辺３２同士が接している。また直立壁３，５の底辺３１は。いずれも底面壁８の９０°の角を挟角とするものである。そのためケース部材２を立体的に観察したとき、２枚の直立壁３，５が垂直に立設する。また薬剤拡散装置１を上から見たとき、２枚の直立壁３，５同士は互いに垂直である。
【００２８】
正面傾斜壁６は、直角三角形たる直立壁３，５の斜辺及び底面壁８の斜辺と接している。そのため正面傾斜壁６は、全体が傾斜姿勢となり、底辺側が図１の様に前方側に位置し、高くなるに連れて奥側に位置する様な姿勢となる。
【００２９】
なお右側面側の直立壁５には、図３に示す様にスイッチ９が設けられている。
【００３０】
ケース部材２の内部には、薬剤保持部材４１と送風機４０とが内蔵されている。またケース部材２の内部には、一連の送風流路が形成されている。
即ちケース部材２の内部は、図２の様に２段の棚板３３，３５が設けられ、内部が水平に３室に仕切られている。そして最も下部の仕切り室３６内に乾電池３７とパイロットランプ（発光ダイオード）３９が配置されている。第二仕切り室３８には送風機４０が配置されている。そして棚３３の部位に薬剤保持部材４１が設置されている。
【００３１】
図４は、送風機４０と薬剤保持部材４１の周辺部分を示す分解斜視図である。図５は薬剤保持部材の分解斜視図である。
薬剤保持部材４１は、薬剤含浸網４６とこれを保持する枠体５０によって構成されている。
本実施形態では、枠体５０は外側枠４７と内側枠４８によって構成され、両者の間で薬剤含浸網４６を挟み込む構造となっている。即ち外側枠４７は、円環状の外周壁５１を持ち、外周壁５１の一方の端面に保持桟５３が形成されたものである。保持桟５３は、中心部に円部５５を持ち、当該円部５５から複数の保持桟５３が放射状に延びている。
内側枠４８は、前記した外側枠４７と相似形であり、外側枠４７よりも僅かに小さく、外側枠４７の外周壁５１内に内側枠４８の外周壁５６が嵌まり込む。即ち内側枠４８は、外側枠４７と同様に円環状の外周壁５６を持ち、外周壁５６の一方の端面に保持桟５７が形成されたものであり、内側枠４８の外周壁５６の外径は外側枠４７の外周壁５１の内径に相当し、外側枠４７の外周壁５１内に内側枠４８の外周壁５６が嵌まり込む。そして外側枠４７の保持桟５３と内側枠４８の保持桟５７の間で薬剤含浸網４６を挟む。
【００３２】
薬剤含浸網４６には防虫薬剤が含浸されている。ここで防虫薬剤とは殺虫剤と忌避剤との両方を含む概念である。本発明において防虫薬剤とは、常温で揮散性を有する有効成分を含有するものであり、該有効成分としてはピレスロイド系化合物、並びにその他の殺虫性化合物及び忌避性化合物を挙げることができる。
【００３３】
ピレスロイド系化合物としては例えば、２，３，５，６−テトラフルオロベンジル（１Ｒ）−トランス−３−（２，２−ジクロロビニル）−２，２−ジメチルシクロプロパンカルボキシレート（一般名：トランスフルスリン）、２，３，５，６−テトラフルオロ−４−メトキシメチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル（１Ｒ）−トランス−３−（２−メチル−１−プロペニル）−２，２−ジメチルシクロプロパンカルボキシラート、２，３，５，６−テトラフルオロ−４−メトキシメチルベンジル２，２，３，３−テトラメチルシクロプロパンカルボキシラート、２，３，５，６−テトラフルオロ−４−メチルベンジル（１Ｒ）−トランス−３−（１−プロペニル（Ｅ／Ｚ＝１／８））−２，２−ジメチルシクロプロパンカルボキシラート、２，３，５，６−テトラフルオロ−４−メトキシメチルベンジル３−（１−プロペニル）−２，２−ジメチルシクロプロパンカルボキシラート、２，３，５，６−テトラフルオロ−４−メチルベンジル３−（２−メチル−１−プロペニル）−２，２−ジメチルシクロプロパンカルボキシラート、２，３，５，６−テトラフルオロ−４−メチルベンジル３−（２−クロロ−２−フルオロビニル）−２，２−ジメチルシクロプロパンカルボキシラート、２，３，５，６−テトラフルオロ−４−メチルベンジル３−（１−プロペニル）−２，２−ジメチルシクロプロパンカルボキシラート、１−エチニル−２−メチル−２−ペンテニル３−（２−クロロ−２−フルオロビニル）−２，２−ジメチルシクロプロパンカルボキシラート、１−エチニル−２−メチル−２−ペンテニル（１Ｒ）−３−（２−メチル−１−プロペニル）−２，２−ジメチルシクロプロパンカルボキシラート（一般名：エンペントリン）、１−エチニル−２−メチル−２−ペンテニル３−（２−メチル−１−プロペニル）−２，２−ジメチルシクロプロパンカルボキシラート、１−エチニル−２−メチル−２−ペンテニル３−（２，２−ジクロロビニル）−２，２−ジメチルシクロプロパンカルボキシラートを挙げることができる。
【００３４】
その他の殺虫性化合物及び忌避性化合物としては、例えば２，２−ジクロロビニルジメチルホスフェート等の有機リン化合物、Ｎ，Ｎ−ジエチル−ｍ−トルアミド、カラン−３，４−ジオール等を挙げることができる。
【００３５】
防除できる害虫の例としては、具体的には各種の有害昆虫を挙げることができ、特に有害飛翔性害虫、例えばアカイエカ、ネッタイイエカ、チカイエカ、コダカアカイエカ等のイエカ類、ヒトスジシマカ、ネッタイシマカ、オオクロヤブカ等のヤブカ類、シナハマダラカ、コガタハマダラカ、ガンビアハマダラカ等のハマダラカ類、サシバエ類、ヌカカ類、ユスリカ類、イエバエ、オオイエバエ等のイエバエ類、クロバエ類、ニクバエ類、タネバエ、ヒメイエバエ、タマネギバエ等のハナバエ類、ミバエ類、ショウジョウバエ類、チョウバエ類、ブユ類、アブ類等の双翅目害虫、スズメバチ類、アリガタバチ類、カブラハバチ等のハバチ類等の膜翅目害虫が挙げられる。
【００３６】
なお、薬剤含浸網４６には、防虫薬剤と共に、常温で揮散性を有する有効成分を含有する芳香剤を保持させてもよい。芳香剤の含有量は任意であるが、芳香剤が有効に揮散し得る期間を防虫薬剤の有効成分が有効に揮散し得る期間に合わせると、芳香剤の芳香の強さを指標として防虫薬剤の有効成分の残量を確認することができる。
【００３７】
なお本発明の薬剤保持部材は、上記した実施形態に限定されるものではなく、薬剤含浸網４６に代わってハニカム構造や、線状、格子状構造を採用してもよい。さらに薬剤保持部材は、液溜部と芯を有して液溜部に溜められた薬液を毛細管現象によって吸い上げて空気と触れさせる構成や、薬剤を固形化してその表面から薬剤を昇華させるものであってもよい。
【００３８】
ケース部材２の内部構造の説明に戻ると、前記した様にケース部材２の第二仕切り室３８の送風機４０の配置部位には、図２、図４の様に縦仕切り６０が設けられており、当該仕切り６０によって送風機４０のハウジング６１が構成されている。即ちハウジング６１は第二仕切り室３８の棚板３５によって底面が封鎖されている。またハウジング６１は、仕切り６０によって正面側を除く周面が封鎖されている。ハウジング６１の上面側は開放されており、薬剤保持部材の収容室６２となっている。ただしハウジング６１の上面側は全面的に開放されている訳ではなく、図４のように開口６７が設けられた構造となっている。
【００３９】
薬剤保持部材の収容室６２は、図４の様に低い直立壁６３によって覆われたものであり、上面側と正面側が開口している。また上面側の開口端には内向きフランジ６５が設けられている。
【００４０】
送風機４０は、図２，４の様にハウジング６１に羽根部材４３とモータ４５が配置されて構成されている。即ち送風機４０は、羽根部材４３とモータ４５及びハウジング６１によって構成されている。羽根部材４３は、シロッコファンやターボファンの様な回転軸を中心とする円周上に多数の小羽根４４が配されたものである。モータ４５は、羽根部材４３の小羽根４４に囲まれた位置に配置されている。
【００４１】
また送風機４０の上部にある薬剤保持部材の収容室６２に、薬剤保持部材４１が装着されている。薬剤保持部材４１は、下部が開口６７の縁によって保持され、上部は内向きフランジ６５によって保持されている。
【００４２】
送風機４０の羽根部材４３は、前記した様に回転軸を中心とする円周上に多数の小羽根４４が配されたものであるため、空気は羽根部材４３の中心側から吸い込まれ、周方向に排出される。本実施形態では、羽根部材４３の上部に薬剤保持部材４１が重なっているため、吸入の際に空気が薬剤保持部材４１を通過する。
【００４３】
また送風機４０と、正面傾斜壁６との関係を説明すると、送風機４０が設置された第二仕切り室３８の高さは、正面傾斜壁６の下から二番目のスリット１９の高さに相当する。
従って送風機４０から排出される空気は、下から二番目のスリット１９から外部に排出される。一方、空気は、上部側のスリットから吸入される。即ち本実施形態では、下から二番目のスリット１９が排出用開口として機能し、他のスリットは吸入用開口として機能する。
【００４４】
本実施形態では、正面傾斜壁６は全体的に傾斜しており、その傾斜方向は、底辺側が前方側に位置し、高くなるに連れて奥側に位置する様な姿勢である。そして排出用開口として機能するスリット１９は、吸入用開口として機能するスリットよりも下部に位置するから、排出用開口として機能するスリット１９は、吸入用開口として機能するスリットよりも前面側に突出している。
【００４５】
次に本実施形態の薬剤拡散装置１の使用方法について説明する。
薬剤拡散装置１は側面に設けられたスイッチ９をオンすることにより、パイロットランプ３９が点灯すると共に内部の送風機４０が回転する。その結果、室内の空気が上部側のスリットから吸入され、薬剤拡散装置１の内部に入る。そしてさらに空気は、送風機４０に吸い込まれる際に薬剤保持部材４１と接し、当該空気に気化した薬剤が混合される。そして薬剤を含む空気が下から二番目のスリット１９から外部に排出される。
【００４６】
本実施形態の薬剤拡散装置１は、図１に示す様に部屋のコーナに設置される。より具体的には、部屋の床１００と二面の壁１０１，１０２によって囲まれた三角の角の位置に設置される。
【００４７】
ここで本実施形態の薬剤拡散装置１は四面体であり、２枚の直立壁３，５が垂直に立設し、２枚の直立壁３，５同士が互いに垂直であるから、２枚の直立壁３，５が部屋のコーナの壁１０１，１０２と接する。
従って薬剤拡散装置１が露出する面は、正面傾斜壁６だけである。
ここで正面傾斜壁６は、文字通り傾斜しており、角となる部位が存在しないから、人の足や物が当たることは無い。また例え人の足や掃除機の角等の物が衝突しても薬剤拡散装置１は転倒しない。即ち薬剤拡散装置１では外部に露出する面は、正面傾斜壁６だけであるから、人の足や掃除機の角等の物が衝突するのは正面傾斜壁６に限られる。しかしながら、足や物が正面傾斜壁６に衝突すると、正面傾斜壁６の傾斜面に対して垂直方向の分力が生じ、この分力は、部屋のコーナ側（床と二面の壁によって囲まれた三角の角）を向くから薬剤拡散装置１を部屋のコーナに押しつけることとなり、薬剤拡散装置１の姿勢を安定させる。そのため例え使用者が本発明の薬剤拡散装置１を蹴飛ばす様なことがあっても薬剤拡散装置１は転倒しない。
【００４８】
また本実施形態の薬剤拡散装置１は、部屋のコーナに設置されるものであるが、部屋のコーナ部分は、３方が床１００や壁１０１，１０２によって遮られ、空気が淀み易い。そのため従来の防虫具を部屋のコーナに設置すると、従来の防虫具から排出された空気が再吸入されるという問題があった。これに対して本実施形態の薬剤拡散装置１は、従来の防虫具に比べて排出された空気の再吸入が少ないという作用がある。
即ち本実施形態の薬剤拡散装置１では、前記した様に排出用開口として機能するスリット１９は、吸入用開口として機能するスリットよりも前面側に突出している。そのため本実施形態では、排出された空気が吸入用開口の部位に近づき難く、排出された空気が吸い込み側に回り込み難い。従って薬剤拡散装置１に吸い込まれる空気は薬剤の濃度が低く、薬剤拡散装置１の内部でより多くの薬剤を含有させることができる。そのため室内の薬剤濃度を一定以上に維持し易い。
【００４９】
また部屋のコーナには電気コンセント１０５が設けられている場合が多いが、本実施形態の薬剤拡散装置１は、壁１０２と接する面が三角形であるから電気コンセント１０５を塞がない。
【００５０】
次に本発明の他の実施形態について説明する。図６は、本発明の第二実施形態の薬剤拡散装置を部屋のコーナに設置した状態を示す斜視図である。図７は、図６の薬剤拡散装置の前蓋を外した状態の斜視図である。図８は、図６の薬剤拡散装置の正面図、左右側面図、平面図及び底面図である。
前記した実施形態の薬剤拡散装置１は、各壁が平面であったのに対し、本実施形態の薬剤拡散装置７０は、正面壁の一部に曲面が取り入れられている。
即ち本実施形態の薬剤拡散装置７０は、正面壁７１が丸みを帯び、正面側に膨出している。また正面壁７１は、大部分が傾斜面７６であるが、下部側に一部垂直部分７７がある。垂直部分７７は主にデザイン上の要請によって形成されたものであり、機能的には垂直部分７７が占める割合は小さいほうがよい。この点から、正面壁７１は全高の７０％以上が傾斜面７６であることが望ましい。
なお本実施形態では、図８の様に、正面壁７１が二つの部材によって形成され、前記した傾斜面７６を構成する部材と垂直部分７７を構成する部分は別部材である。
【００５１】
また本実施形態の薬剤拡散装置７０は、天面に平坦部分７２を有する。
正面壁７１の傾斜面７６には複数のスリット８１〜８８が設けられている。そして最も下部に設けられたスリット８８は他よりも幅が広い。本実施形態では、最も下部のスリット８８が排出用開口として機能し、他のスリット８１〜８７は吸入用開口として機能する。従って本実施形態の薬剤拡散装置７０についても、排出開口として機能するスリット８８が、吸入開口として機能するスリット８１〜８７よりも前面側に突出しており、排出された空気が吸い込み側に回り込み難い。
【００５２】
本実施形態の薬剤拡散装置７０においても、ケース部材７４は、２面の直立壁７３，７５を持ち、両者は互いに垂直である。
【００５３】
薬剤拡散装置７０のケース部材の内部には、図８の様に送風機と薬剤保持部材が内蔵されている。
また電池は、正面の直立壁の内部に内蔵されている（図示せず）。
本実施形態で採用する送風機及び薬剤保持部材は、前記した実施形態と略同一である。即ち図８の様に縦仕切り６０が設けられており、当該仕切り６０によって送風機４０のハウジング６１が構成されている。ハウジング６１は、仕切り６０によって正面側を除く周面が封鎖されている。ハウジング６１の上面側は開放されており、薬剤保持部材４１の収容室６２となっている。
薬剤保持部材４１の収容室６２は、図８の様に低い直立壁６３によって覆われたものであり、上面側と正面側が開口している。また上面側の開口端には内向きフランジ６５が設けられている。
【００５４】
送風機４０は、ハウジング６１に羽根部材４３とモータ４５が配置されて構成されている。また送風機４０の上部に設けられた収容室６２に、薬剤保持部材４１が装着されている。薬剤保持部材４１は、下部が開口６７の縁によって保持され、上部は内向きフランジ６５によって保持されている。
【００５５】
また先の実施形態では、装置の動作を示すパイロットランプが設けられていたが、本実施形態の薬剤拡散装置７０ではより工夫が凝らされたものとなっている。
即ち本実施形態では、ハウジングの内部に透明な樹脂板９０が水平に配置されている。そしてその樹脂板の最も奥の位置に発光ダイオード９１が設置されている。そのため発光ダイオード９１が発光すると、光が樹脂板９０に入光される。入光された光は、樹脂内を伝播して他方の端面に至り、正面側の端面９２が光る。即ち入光された光は、樹脂の板の内面で反射するので、板面側に洩れる光量は少なく、光の多くは正面側の端面９２に伝播され、端面９２が幻想的に光る。
【００５６】
本実施形態の薬剤拡散装置７０についても部屋のコーナに設置されるので、転倒の危険性は低い。
【００５７】
以上説明した第一の実施形態は、側面の直立壁が三角形であった。また第二実施形態では、側面の直立壁は、厳密には５角形であるが、三角形に近いものであると言える。二つの実施形態に共通する構成として、ケース部材の奥側の垂直ラインがケース部材の全高に渡って直線であるという点である。しかしながら実際の設計上、例えば框を避けるために奥の角の部分９６が欠落した様な形状とすることも考えられる。図９は、本発明のさらに他の実施形態の薬剤拡散装置９５の正面図、左右側面図、平面図及び底面図であり、奥の角の部分９６が欠落した形状である。
また第一実施形態及び第二実施形態では、側面の二枚の直立壁同士が直接的に接しているが、本発明はこの構成に限定されるものではなく、両者の間に他の壁が存在していてもよい。
【００５８】
以上説明した実施形態では、薬剤拡散装置は、部屋のコーナの二面の壁１０１，１０２と接する様に装置の側壁が直立しており、さらに２枚の側壁同士が互いに垂直である。この様に側壁が直立しており、さらに２枚の側壁同士が互いに垂直である構成は、最も推奨されるものではあるが、側壁は多少傾斜していてもよい。また側壁同士の角度は、厳密に９０°でなくてもよい。要するに、薬剤拡散装置の側壁は、部屋のコーナに概ね合致可能であればよい。
【図面の簡単な説明】
【００５９】
【図１】本発明の第一実施形態の薬剤拡散装置を部屋のコーナに設置した状態を示す斜視図である。
【図２】図１の薬剤拡散装置の前蓋を外した状態の斜視図である。
【図３】図１の薬剤拡散装置の正面図、左右側面図、平面図及び底面図である。
【図４】送風機と薬剤保持部材の周辺部分を示す分解斜視図である。
【図５】薬剤保持部材の分解斜視図である。
【図６】本発明の第二実施形態の薬剤拡散装置を部屋のコーナに設置した状態を示す斜視図である。
【図７】図６の薬剤拡散装置の前蓋を外した状態の斜視図である。
【図８】図６の薬剤拡散装置の正面図、左右側面図、平面図及び底面図である。
【図９】本発明のさらに他の実施形態の薬剤拡散装置の正面図、左右側面図、平面図及び底面図である。
【符号の説明】
【００６０】
１      薬剤拡散装置
２      ケース部材
３，５  直立壁（側壁）
６      正面傾斜壁（正面壁）
１０〜１８，２０  スリット（吸入用開口）
１９    スリット（排出用開口）
４０    送風機
４１    薬剤保持部材
７０    薬剤拡散装置
７１    正面壁
７３，７５  直立壁（側壁）
７４    ケース部材
８１〜８７  スリット（吸入用開口）
８８    スリット（排出用開口）
９５    薬剤拡散装置
【図１】
2006314267.tif 000003
【図２】
2006314267.tif 000004
【図３】
2006314267.tif 000005
【図４】
2006314267.tif 000006
【図５】
2006314267.tif 000007
【図６】
2006314267.tif 000008
【図７】
2006314267.tif 000009
【図８】
2006314267.tif 000010
【図９】
2006314267.tif 000011